(57)【特許請求の範囲】
【請求項１】
ダクトにファンユニットを取り付けてなる排気装置を有する画像形成装置において、
画像形成装置本体内に、支持部材を有する構造体と、その構造体の支持部材と対向する対向部材とを備える一方、
前記ダクトには、そのダクト内の空気の流れを挟んで片側に取付部を立ち上げて設ける一方、他側に弾性固定部を前記取付部よりも下方に位置して設け、
前記ダクトの取付部を前記支持部材側とし、前記弾性固定部を前記対向部材側として、それら支持部材と対向部材との間に前記ダクトを配置し、
前記ダクトの取付部を前記支持部材に取り付けてその支持部材で吊り下げて前記ダクトを支持するとともに、前記弾性固定部を前記対向部材に押し当ててなる、
ことを特徴とする、画像形成装置。
【請求項２】
前記取付部に、頂部から立ち上げた起立部と、その先端を押し曲げて形成した折曲部とを備える一方、
前記支持部材を、前記ダクト側に向けて凹面を形成する面部とそのまわりの周縁部とで構成し、
前記ダクトの起立部を面部に対面して前記折曲部を前記支持部材の周縁部に取り付けてなる、
ことを特徴とする、請求項１に記載の画像形成装置。
【請求項３】
前記ダクトを、樹脂材料を用いて一体成形でつくることを特徴とする、請求項１または２に記載の画像形成装置。
【請求項４】
前記ダクトが、そのダクト内で前記ファンユニットを弾性保持するための弾性保持部を有することを特徴とする、請求項１、２、または３に記載の画像形成装置。
【請求項５】
前記ファンユニットのハーネスに取り付けたコネクタを前記ダクトで保持することを特徴とする、請求項１、２、３、または４に記載の画像形成装置。
【請求項６】
画像形成装置本体内で前記取付部と前記弾性固定部とで固定して前記ダクトを空中に浮かしたような状態で下面を接地させずに支持することを特徴とする、請求項２、３、４、または５に記載の画像形成装置。
【発明の詳細な説明】
【技術分野】
【０００１】
この発明は、複写機、プリンタ、ファクシミリ、またはそれらの複合機など、シートに画像を記録する画像形成装置に関する。
【背景技術】
【０００２】
従来、画像形成装置では、排気ファンを用いて画像形成装置本体内の熱やオゾンなどを外部へと排出していた。排気ファンは、例えば画像形成装置本体の構造体に、ゴム部品を介してねじ止めして取り付けていた。
【０００３】
【特許文献１】特開２０００−０２２３７５号公報
【特許文献２】特開平０７−１９７６３９号公報
【特許文献３】実開平０３−１０５８５０号公報
【特許文献４】特開平０４−０２４６６２号公報
【特許文献５】実開平０５−９６４５９号公報
【特許文献６】特開平０６−０１５８７０号公報
【発明の開示】
【発明が解決しようとする課題】
【０００４】
ところが、このような画像形成装置では、排気ファンの振動が構造体に伝わって音を発し、その音が外部に漏れ出てうるさい、という問題があった。
【０００５】
近年、国内ではエコマークなど、欧州ではＢＡＭ規格などで、騒音レベルの許容基準が定められており、画像形成装置の待機時や稼動時における静音性が強く求められている。
【０００６】
また、従来の排気装置では、排気ファンをゴム部品を介してねじ止めして取り付けるから、ねじや高価なゴム部品を必要とし、部品点数が多くなるとともに、排気ファンの組付けが面倒となって高価となる問題があった。
【０００７】
そこで、この発明の第１の目的は、画像形成装置において、排気ファンの振動が伝わることを防いで騒音の発生を極力押さえることにある。
【０００８】
この発明の第２の目的は、加えて、ダクトの組付けに用いるねじ等の締結部材も少なくして一層部品点数を削減するとともに、ダクトの組付けを簡単として、コストダウンを図ることにある。
【０００９】
この発明の第３の目的は、加えて、ダクトの組付けに必要な部品をできるだけ一体化してさらに部品点数を削減するとともに、ダクトの組付けを簡単として、コストダウンを図ることにある。
【００１０】
この発明の第４の目的は、加えて、排気ファンを画像形成装置本体内でダクトを介してしっかりと固定し、騒音の発生をより一層防止することにある。
【００１１】
この発明の第５の目的は、加えて、排気ファンのハーネスの処理も含めて全体をユニット化し、取り扱いを簡便とすることにある。
【００１２】
この発明の第６の目的は、上記第１ないし第５の目的を達成した排気装置を備えた画像形成装置を提供することにある。
【課題を解決するための手段】
【００１３】
このため、請求項１に係る発明は、上記第１の目的を達成すべく、ダクトにファンユニットを取り付けてなる排気装置を有する画像形成装置において、
画像形成装置本体内に、支持部材を有する構造体と、その構造体の支持部材と対向する対向部材とを備える一方、
ダクトには、そのダクト内の空気の流れを挟んで片側に取付部を立ち上げて設ける一方、他側に弾性固定部を前記取付部よりも下方に位置して設け、
ダクトの取付部を支持部材側とし、弾性固定部を対向部材側として、それら支持部材と対向部材との間にダクトを配置し、
ダクトの取付部を支持部材に取り付けてその支持部材で吊り下げてダクトを支持するとともに、弾性固定部を対向部材に押し当ててなる、ことを特徴とする。
【００１４】
請求項２に係る発明は、上記第２の目的を達成すべく、請求項１に記載の画像形成装置において、
取付部に、頂部から立ち上げた起立部と、その先端を押し曲げて形成した折曲部とを備える一方、
支持部材を、ダクト側に向けて凹面を形成する面部とそのまわりの周縁部とで構成し、
ダクトの起立部を面部に対面して折曲部を支持部材の周縁部に取り付けてなる、ことを特徴とする。
【００１５】
請求項３に係る発明は、上記第３の目的を達成すべく、請求項１または２に記載の画像形成装置において、ダクトを、樹脂材料を用いて一体成形でつくる、ことを特徴とする。
【００１６】
請求項４に係る発明は、上記第４の目的を達成すべく、請求項１、２、または３に記載の画像形成装置において、ダクトが、そのダクト内でファンユニットを弾性保持するための弾性保持部を有する、ことを特徴とする。
【００１７】
請求項５に係る発明は、上記第５の目的を達成すべく、請求項１、２、３、または４に記載の画像形成装置において、ファンユニットのハーネスに取り付けたコネクタをダクトで保持してなる、ことを特徴とする。
【００１８】
請求項６に係る発明は、上記第１の目的を達成すべく、請求項２、３、４、または５に記載の画像形成装置において、画像形成装置本体内で取付部と弾性固定部とで固定してダクトを空中に浮かしたような状態で下面を接地させずに支持する、ことを特徴とする。
【発明の効果】
【００１９】
請求項１に係る発明によれば、画像形成装置本体内でダクトを画像形成装置本体内の構造体により吊り下げて支持するから、画像形成装置の排気装置において、排気ファンの振動が画像形成装置本体に伝わることを防いで、騒音の発生を極力押さえることができる。
【００２１】
請求項２に係る発明によれば、ダクトに、画像形成装置本体内の構造体に取り付けるための取付部を有するから、加えて、排気ファンを画像形成装置本体内でダクトを介してしっかりと固定し、騒音の発生をより一層防止することができる。加えて、ダクトに、画像形成装置本体内で他部材に押し当てて固定するための弾性固定部を有するから、ダクトの組付けに用いるねじ等の締結部材も少なくして一層部品点数を削減するとともに、ダクトの組付けを簡単として、コストダウンを図ることができる。
【００２２】
請求項３に係る発明によれば、加えて、ダクトを、樹脂材料を用いて一体成形でつくるから、騒音の発生を小さくし、また排気ファンおよびダクトの組付けに必要な部品をできる限り一体化してさらに部品点数を削減するとともに、ダクトの組付けを簡単として、コストダウンを図ることができる。
【００２３】
請求項４に係る発明によれば、加えて、ファンユニットをダクト内に備え、そのダクトを画像形成装置本体内に設けるから、ファンユニットをダクトと画像形成装置本体の外装ハウジングとで被い、排気ファンの騒音が画像形成装置本体の外部へと漏れ出ることを防止することができ、例えば騒音レベルの許容基準が法的に設けられている場合でも、それをクリアすることができる。
また、ダクトが、そのダクト内でファンユニットを弾性保持するための弾性保持部を有するから、ファンユニットを画像形成装置本体内でダクトを介してしっかり固定し、ファンユニットの振動が伝わることを防いで騒音の発生を極力押さえる一方、ファンユニットの組付けに高価なゴム部品を介在させたりする必要なく、排気ファンの組付けを簡単として、コストダウンを図ることができる。
【００２４】
請求項５に係る発明によれば、ファンユニットのハーネスに取り付けたコネクタをダクトで保持するから、加えて、ハーネスの処理を含めて全体をユニット化して、たとえば故障の際に交換したり、点検の際に取り出したりするとき、取り扱いを簡便とすることができる。また、コネクタを接続したり外したりする操作を簡単に行うことができる。
【００２５】
請求項６に係る発明によれば、画像形成装置本体内で取付部と弾性固定部とで固定してダクトを空中に浮かしたような状態で支持するから、ファンユニットの振動が画像形成装置本体に伝わることを防いで、騒音の発生を極力押さえることができる。
【発明を実施するための最良の形態】
【００２６】
以下、この発明の実施の形態について添付図面を参照しながら説明する。
図１は、画像形成装置である複写機の外観斜視図である。
【００２７】
複写機１は、大略、４つのカセット１ａを多段に備える給紙テーブル１Ａと、この給紙テーブル１Ａ上に載置する複写機装置本体１Ｂと、その複写機装置本体１Ｂ上に取り付ける画像読取装置１Ｃとからなる。
【００２８】
図２は、その複写機装置本体１Ｂ内に備える構造体２を示す斜視図である。構造体２は、底板２Ａ上に、正面側（図中左下側）から見て手前に、図示省略した前側板を、左側に支持部材としての板金製の左ステー２１を、右側手前にアーム２２を、そして背面側に後側板２３を立てる。左側上には、後側板２３で支持して左アーム２４を手前に向けてのばす。また、右側には、アーム２２と後側板２３間に掛け渡して右アーム２５および断面コ字型の板金製ステー２６を上下に設ける。左ステー２１は、図２に示すように、後述するごとく取り付けるダクト３１側に向けて凹面を形成する面部２１ａとそのまわりの周縁部２１ｂとで構成する。
【００２９】
そのような構造体２内には、ステー２６内に位置してドラム状の像担持体（図示省略）を有し、そのまわりに帯電装置・書込み装置・現像装置・転写装置・クリーニング装置などを配置する。そして、帯電・書込み・現像・転写・クリーニングなどを繰り返して像担持体上に順次トナー画像を形成し、そのトナー画像を逐次転写してシートに画像を記録する。シートは、底板２Ａの切欠き２Ｂを通して下から上へと搬送する。
【００３０】
ところで、像担持体まわりに配置する装置の中で、像担持体上に書き込みを行う書込み装置６０は、図示するように、構造体２の底板２Ａ上に備える。書込み装置６０には、ハウジングＨ内に、レーザダイオード等の不図示の光源、走査用のポリゴンミラーＰＭ、そのポリゴンミラーＰＭを回転駆動する不図示のポリゴンモータ、ｆθレンズ等の不図示の走査光学系などを備える。
【００３１】
そして、図３に示すように、その書込み装置６０の上に排気装置３を設ける。排気装置３は、図４（Ａ）および（Ｂ）に示すように、ダクト３１にファンユニット３２を取り付けてなる。
【００３２】
ダクト３１は、樹脂材料を用いて一体成形でつくり、山型の頂部３１１と左側面部３１２と取付部３１３と右側面部３１４とを設ける。
【００３３】
頂部３１１は、頂面３１１ａと、前後の傾斜面３１１ｂ・３１１ｃと、後傾斜面３１１ｃから後方に向けてフラットにのびる短スカート部３１１ｄとからなる。頂面３１１ａには、矩形の挿入口３１Ｃをあけ、その挿入口３１Ｃを挟んで前後に対向して逆Ｕ字型の一対の上弾性保持部３１Ｆを設ける。左右側面部３１２・３１４には、内面にそれぞれ２つの平行なガイドリブ３１Ｅを対向して設ける。
【００３４】
取付部３１３は、頂部３１１から立ち上げた起立部３１Ａと、その先端を折り曲げて形成した折曲部３１Ｂとからなる。右側面部３１４には、内向きに折り曲げて挿入口３１Ｃの真下に下弾性保持部３１Ｇを設け、また外面に略Ｕ字形に形成して先端に弾性を保有する弾性固定部３１Ｄを立てる。
【００３５】
一方、ファンユニット３２は、四角い枠内に排気ファン３２Ａを有する。そして、ダクト３１内に上から挿入し、図５に示すように、一対の上弾性保持部３１Ｆを外側に押し開いて挿入口３１Ｃに入れ、ガイドリブ３１Ｅで案内してダクト３１内に落とし込み、下弾性保持部３１Ｇ上に載せる。
【００３６】
すると、ファンユニット３２が一対の上弾性保持部３１Ｆ間を通過し、上弾性保持部３１Ｆは、形状を復帰して先端でファンユニット３２を上から押さえ、図４（Ｂ）、図６および図７に示すように、下弾性保持部３１Ｇとで挟んで弾性保持する。
【００３７】
さて、このような排気装置３は、図３に示すように、ダクト３１の起立部３１Ａを左ステー２１の面部２１ａに対面して、折曲部３１Ｂを左ステー２１の周縁部２１ｂ上に掛けてねじ止め固定することにより取付部３１３で取り付けるとともに、図８（Ａ）および（Ｂ）に示すように、弾性固定部３１Ｄの先端を構造体２内の固定ブラケット２７に弾性的に押し当て、ダクト３１を位置決め固定して複写機装置本体１Ｂ内に設ける。ブラケット２７は、構造体２の支持部材である左ステー２１に対向して設ける対向部材である。そして、ダクト３１を構造体２で吊り下げて空中に浮かしたような状態で支持し、排気ファン３２Ａの振動がダクト３１を介して構造体２に極力伝わらないようにする。
【００３８】
そして、図示排気装置３では、ファンユニット３２を駆動して、構造体２の前側板（図示省略）の孔を通して図３中手前側から矢示する方向に空気を吸い込み、後傾斜面３１１ｃで空気の流れを下向きにして短スカート部３１１ｄから矢示方向に排出する。これにより、書込み装置６０に吹き付けてポリゴンモータ等が発生する熱を除去し、別途設けるメイン排気ファンで装置本体１Ｂ外へと吸引排出する。
【００３９】
なお、図６および図９に示すように、ダクト３１の左側面部３１２の外面には、複数の掛止板３１Ｈを立てる。そして、その掛止板３１Ｈの切欠き溝に、ファンユニット３２の排気ファン３２Ａの駆動モータから引き出したハーネス３２Ｂを掛け止める。ハーネス３２Ｂの先端には、コネクタ３１Ｊを取り付ける。そのコネクタ３１Ｊは、図３、４、５、７では図示省略したが、短スカート部３１１ｄの上に取り付けるようにしてダクト３１で保持する。
【００４０】
以上の構成により、図示例の排気装置３では、ファンユニット３２をダクト３１内に備え、そのダクト３１を複写機装置本体１Ｂ内に設けるから、ファンユニット３２をダクト３１と装置本体１Ｂの外装ハウジングとで被い、排気ファン３２Ａの騒音が装置本体１Ｂの外部へと漏れ出ることを防止することができ、例えば騒音レベルの許容基準が法的に設けられている場合でも、それを十分にクリアすることができる。
【００４１】
また、ダクト３１に形成した弾性保持部３１Ｆ・３１Ｇで弾性保持してダクト３１内にファンユニット３２を備えるから、排気ファン３２Ａの振動が伝わることを防いで騒音の発生を極力押さえる一方、ファンユニット３２の組付けに高価なゴム部品を介在させたりする必要なく、排気ファン３２Ａの組付けを簡単として、コストダウンを図ることができる。
【００４２】
図示例の上記排気装置３では、ダクト３１に、複写機装置本体１Ｂ内でブラケット２７に押し当てて該ダクト３１を位置決め固定する弾性固定部３１Ｄを形成するから、ダクト３１の組付けに用いるねじ等の締結部材も少なくして一層部品点数を削減するとともに、ダクト３１の組付けを簡単として、コストダウンを図ることができる。
【００４３】
さらに、樹脂材料を用いて一体成形で、弾性保持部３１Ｆ・３１Ｇと弾性固定部３１Ｄと取付部３１３とを有するダクト３１をつくるから、騒音の発生を小さくし、また排気ファン３２Ａおよびダクト３１の組付けに必要な部品をできる限り一体化してさらに部品点数を削減するとともに、それらの組付けを簡単として、コストダウンを図ることができる。
【００４４】
またさらに、上述した図示排気装置３では、ダクト３１を複写機装置本体１Ｂ内の構造体２に取り付けて設けるから、排気ファン３２Ａを複写機装置本体１Ｂ内でダクト３１を介してしっかりと固定し、騒音の発生をより一層防止することができる。
【００４５】
さらにまた、排気ファン３２Ａのハーネス３２Ｂに取り付けたコネクタ３１Ｊをダクト３１で保持するから、ハーネス３２Ｂの処理を含めて全体をユニット化して、たとえば故障の際に交換したり、点検の際に取り出したりするとき、取り扱いを簡便とすることができる。また、コネクタ３１Ｊを接続したり外したりする操作を簡単に行うことができる。
【００４６】
ところで、上述した例では、ファンユニット３２を上下の弾性保持部３１Ｆ・３１Ｇで挟んで弾性保持した。しかし、図１０に示すダクト４１のように、左右側面部４１２・４１４から切り起こして左右の弾性保持部４１Ａを形成し、それらの弾性保持部４１Ａのみで挟んで弾性保持するようにしてもよく、また上下左右の弾性保持部で挟んで弾性保持してダクト４１内にファンユニット３２を備えるようにしてもよい。図中符号４１Ｇは、上述した例の下弾性保持部３１Ｇと同様に形成した下弾性保持部である。
【００４７】
弾性保持部は、上述した上弾性保持部３１Ｆや下弾性保持部３１Ｇ・４１Ｇなどの形状に限るものではなく、要はダクト３１・４１内に取り付けたファンユニット３２を弾性的に押さえ得る形状であればよい。また、弾性固定部も、同様であり、上述した弾性固定部３１Ｄの形状に限るものではなく、画像形成装置本体１Ｂ内で固定ブラケット２７等の対向部材に弾性的に押し当ててダクト３１・４１を位置決め固定し得る形状であればよい。
【００４８】
さらに、これらの例のようなダクト３１、４１の替わりに、図１１および図１２に示すようなダクト５１でもよい。
【００４９】
即ち、このダクト５１は、排気ファンを有するファンユニットを保持している点では先の例と同様であるが、例えば図１１に示すように、右方にフラットにのびた第１スカート部５１１ｄと、手前側の側面部分に直角に折り曲げた第２スカート部５１５とを設ける。つまり、この例のダクト５１は、図４に示す熱やオゾンなどの排気目的で形成したダクト３１に比べて、外形形状を大きくし、表面積を拡大している。これにより、ポリゴンモータから伝播する騒音を封じ込めるようになっている。
【００５０】
しかも、このポリゴンモータは、例えば、書込み画像の画素密度が高くなればなるほど、それに合わせて回転数も上昇するようになっており、そのため、モータのコイル部分から発生するジュール熱により発熱し、稼動可能な温度を遥かにオーバする場合もある。特にこの例のモータでも、高速回転するようになっているので、ここで説明したような事情から、効率的な冷却を行うといった点でも、このダクト５１内の排気ファンが役立っている。
【００５１】
なお、図１１において、右斜面部５１１ｃと第１スカート部５１１ｄ部分は、起立部５１Ａの設置レベルよりも奥部側に向けて突出し、それぞれその端面部分ａ・ｂが、図１２に示すように、左ステー２１に当接するようになっている。
【００５２】
よって、ポリゴンモータ等の騒音源から発生する騒音を容易に封じ込めることができるようになり、騒音低減効果がさらに向上して、待機時や稼動時の静音性や静粛性がさらに高まり、高級機化を図ることができるようになる。
【図面の簡単な説明】
【００５３】
【図１】画像形成装置である複写機の外観斜視図である。
【図２】その複写機装置本体内に備える構造体を示す斜視図である。
【図３】その構造体に排気装置を設置した状態を示す斜視図である。
【図４】その排気装置を示すものであって、（Ａ）はその斜視図、（Ｂ）はＡ−Ａ線断面図である。
【図５】その排気装置のダクトにファンユニットを挿入するときの状態を示す説明斜視図である。
【図６】その排気装置を下から眺めたときの概略斜視図である。
【図７】その排気装置の透視図である。
【図８】構造体に排気装置を取り付けた状態を示すものであって、（Ａ）は正面側から見た図、（Ｂ）はその部分拡大図である。
【図９】その排気装置のハーネスの取付状態を示す斜視図である。
【図１０】排気装置の変形例を示す斜視図である。
【図１１】排気装置のさらに他の変形例を示す斜視図である。
【図１２】その排気装置を複写機装置本体の構造体に設置した状態を示す概略斜視図である。
【符号の説明】
【００５４】
１      複写機
２      構造体
２１    左ステー（支持部材）
２１ａ  面部
２１ｂ  周縁部
２７    ブラケット（対向部材）
３      排気装置
３１    ダクト
３１３  取付部
３１Ａ  起立部
３１Ｂ  折曲部
３１Ｃ  挿入口
３１Ｄ  弾性固定部
３１Ｅ  ガイドリブ
３１Ｆ  上弾性保持部
３１Ｇ  下弾性保持部
３１Ｈ  掛止板
３１Ｊ  コネクタ
３２    ファンユニット
３２Ａ  排気ファン
３２Ｂ  ハーネス
４１    ダクト
４１Ａ  弾性保持部
４１Ｇ  下弾性保持部
５１    ダクト
【図１】
0003933654.tif 000002
【図２】
0003933654.tif 000003
【図３】
0003933654.tif 000004
【図４】
0003933654.tif 000005
【図５】
0003933654.tif 000006
【図６】
0003933654.tif 000007
【図７】
0003933654.tif 000008
【図８】
0003933654.tif 000009
【図９】
0003933654.tif 000010
【図１０】
0003933654.tif 000011
【図１１】
0003933654.tif 000012
【図１２】
0003933654.tif 000013